(57)【要約】【課題】簡便に着脱することができる室内用ハンガー掛け装置を提供する。【解決手段】室内用ハンガー掛け装置１は、ハンガー２が掛けられるポール３を支持する少なくとも２つのポール支持体４とを備え、ポール支持体４には、ポール３を把持するポール把持部５と、ポール把持部５に連設され被係合部に係合する係合部７とを備えた本体８と、係合部７の下方に位置するように本体８に連設され被当接部に当接する当接部１０とが設けられており、係合部７は被係合部の上部を覆うように嵌め込まれて係合するので、簡便に着脱することができる。【選択図】図１
2013158467.tif 000002
【特許請求の範囲】
【請求項１】
ハンガーが掛けられるポールを支持する少なくとも２つのポール支持体を備え、
ポール支持体には、ポールを把持するポール把持部と、ポール把持部に連設され被係合部に係合する係合部とを備えた本体と、係合部の下方に位置するように本体に連設され被当接部に当接する当接部とが設けられており、
係合部は被係合部の上部を覆うように嵌め込まれて係合することを特徴とする室内用ハンガー掛け装置。
【請求項２】
係合部は第１アームを介してポール把持部に連設され、当接部は第２アームを介してポール把持部に連設されており、係合部と第１アームとは回動可能に接続されていることを特徴とする請求項１に記載の室内用ハンガー掛け装置。
【請求項３】
第２アームは第１アームとの成す角を狭める方向に回動可能にポール把持部に連結されることを特徴とする請求項２に記載の室内用ハンガー掛け装置。
【発明の詳細な説明】
【技術分野】
【０００１】
本発明は、室内で衣服などをハンガー掛けする室内用ハンガー掛け装置に関する。
【背景技術】
【０００２】
特許文献１には、洗濯物が掛けられたハンガーを吊るすハンガー掛け装置が記載されている。ハンガーが吊り下げられるポールの両端を支持する支持部は、引戸などの縦枠にねじ止めされるクランプ本体と、クランプ本体に折りたたみ可能に取り付けられポールの両端を支持するアームとを備えている。
【０００３】
特許文献２には、室内用物干し竿を支持する支持具が記載されている。支持具は、中空筒状に形成され端部が室内壁にねじ止めされる本体と、本体内部に出し入れ可能に収容され物干し竿を支持する支持アームとを備えている。本体から支持アームを引き出して物干し竿を使用することができ、物干し竿を使用しないときには支持アームを本体内部に押し込んで支持具を縮めることができる。
【先行技術文献】
【特許文献】
【０００４】
【特許文献１】特開２０１０−１６２３２０号公報
【特許文献２】特開２０１０−１３１３４４号公報
【発明の概要】
【発明が解決しようとする課題】
【０００５】
特許文献１に記載のハンガー掛け装置、あるいは特許文献２に記載の物干し竿支持具では、室内用物干し竿を支持する支持具が引戸の縦枠や室内壁にねじ止めされており、支持具の着脱を簡便に行うことができない。衣服の数が増えて収納することができない場合などに衣服を一時的に室内にハンガー掛けしたいことがある。
【０００６】
本発明の目的は、このような課題を解決するもので、簡便に着脱することができる室内用ハンガー掛け装置を提供することである。
【課題を解決するための手段】
【０００７】
請求項１の発明は、ハンガーが掛けられるポールを支持する少なくとも２つのポール支持体を備え、ポール支持体には、ポールを把持するポール把持部と、ポール把持部に連設され被係合部に係合する係合部とを備えた本体と、係合部の下方に位置するように本体に連設され被当接部に当接する当接部とが設けられており、係合部は被係合部の上部を覆うように嵌め込まれて係合するものである。
【０００８】
請求項２の発明は、係合部は第１アームを介してポール把持部に連設され、当接部は第２アームを介してポール把持部に連設されており、係合部と第１アームとは回動可能に接続されているものである。
【０００９】
請求項３の発明は、第２アームが第１アームとの成す角を狭める方向に回動可能にポール把持部に連結されるものである。
【発明の効果】
【００１０】
請求項１記載の発明によれば、室内用ハンガー掛け装置は、本体の係合部が被係合部の上部を覆うように嵌め込まれ、本体に連設される当接部が被当接部に当接した状態で設置されるので、簡便に着脱することができる。
【００１１】
請求項２記載の発明によれば、係合部は第１アームを介してポール把持部に連設され、当接部は第２アームを介してポール把持部に連設されおり、係合部と第１アームとは回動可能に接続されているので、軽量化を図ることができるとともに、当接部を被当接部に容易に当接させることができる。
【００１２】
請求項３記載の発明によれば、ポール把持部に連結される第２アームは第１アームとの成す角を狭めるように回動可能であるので、室内用ハンガー掛け装置を使用しないときには、第２アームを第１アームとの成す角を狭めるように回動させて折り畳んだ状態でコンパクトに収納することができる。
【図面の簡単な説明】
【００１３】
【図１】室内用ハンガー掛け装置の斜視図である。
【図２】室内用ハンガー掛け装置の正面図である。
【図３】室内用ハンガー掛け装置の側面図である。
【図４】第１アーム他端部の正面図である。
【図５】第１アーム他端部の平面図である。
【図６】係合部の正面図である。
【図７】係合部の平面図である。
【図８】室内用ハンガー掛け装置の側面図である。
【図９】室内用ハンガー掛け装置の側面図である。
【図１０】室内用ハンガー掛け装置の側面図である。
【発明を実施するための形態】
【００１４】
本発明の一実施の形態について図１〜図７に基づいて説明する。図１は室内用ハンガー掛け装置１の斜視図である。図２は室内用ハンガー掛け装置１の正面図である。図３は室内用ハンガー掛け装置１の側面図である。図４は第１アーム６他端部の正面図である。図５は第１アーム６の他端部の平面図である。図６は係合部７の正面図である。図７は係合部７の平面図である。
【００１５】
室内用ハンガー掛け装置１は、ハンガー２が掛けられるポール３を支持する２つのポール支持体４とを備える。ポール支持体４は、ポールを把持するポール把持部５と、ポール把持部５に第１アーム６を介して連設される係合部７とが設けられた本体８を備える。ポール把持部５には、第２アーム９を介して当接部１０が連設される。
【００１６】
ポール３として、たとえば機械構造用炭素鋼鋼管ＪＩＳ  Ｇ  ３４４５  ＳＴＫＭ  外径２５．４ｍｍが用いられる。ポール把持部５は、たとえば樹脂成型される。ポール把持部５の上面にはＵ字状の溝部１１が水平方向に形成されている。溝部１１にはポール３が嵌め込まれる。ポール把持部５には、溝部１１と直交するように水平方向に向く丸孔１２が形成され、さらに溝部１１と直交し水平位置から下方４５度の範囲で開口部側に拡径した孔部１３が形成されている。丸孔１２には第１アーム６の１端部が嵌め込まれノックピン１４で固定される。孔部１３には第２アーム９の１端部が嵌め込まれる。第２アーム９の１端部は、ノックピン１５によって回動可能に支持される。
【００１７】
第１アーム６の他端部には係合部７が係合する係合ピン１６が設けられる。係合ピン１６は、係合ピン１６を保持する保持片１７に圧入される。保持片１７は円筒形に樹脂成型されており、係合ピン１６は両端部が突出した状態で保持片１７に圧入される。係合ピン１６が圧入された保持片１７は、第１アーム６の他端部に嵌入される。保持片１７は、係合ピン１６が水平方向に位置した状態でノックピン１８を用いて第１アーム６に固定される。
【００１８】
係合部７は、たとえば金属板を曲げ加工して形成され、係合部本体７ａと係止金具７ｂとを備える。係合部本体７ａは下部が開口した箱型に形成されており、一端部側の下部には係合ピン１６が引っ掛けられる鉤部７ｃが形成されている。係止金具７ｂは断面Ｌ字型である。係止金具７ｂは、Ｌ字を形成する短辺７ｄが係合部本体７ａの他端部側に位置し、Ｌ字を形成する長辺７ｅが係合部本体７ａの内部に収容されたブロック２０にねじ止めされた状態で、係合部本体７ａの上面に形成された溝部７ｆに沿って摺動可能である。係合部本体７ａの一端部にはユリヤねじ２１が挿通される丸孔が形成されており、丸孔に挿通されたユリヤねじ２１はブロック２０に螺合されている。ユリヤねじ２１を回して係合部本体７ａの他端部と係止金具７ｂの短辺７ｄとの間の距離Ｘを調整することができる。
【００１９】
第２アーム９の他端部には当接部１０が設けられる。当接部１０は、たとえば樹脂成型される。当接部１０は、第２アーム９の他端部に回動可能にピン結合され、被当接部である、たとえば扉２３の表面などに当接する当接面２２を備える。当接面２２にはゴム板が貼られる。室内用ハンガー掛け装置１は、概ね水平方向に位置する第１アーム６と第２アーム９との成す角が略４５度になるように、第２アーム９が第１アーム６の下方に位置した状態で設置される。室内用ハンガー掛け装置１が使用されないときには、第２アーム９を第１アーム６と平行な位置まで折り畳んでコンパクトに収納することができる。
【００２０】
ここで、室内用ハンガー掛け装置１の使用状態を示す。室内用ハンガー掛け装置１は、たとえば図１に示すように収納棚の扉２３に設置される。使用者は扉２３を開けて、被係合部である扉２３の上端２４を覆うように係合部７を嵌め込む。係止金具７ｂの長辺７ｅを扉２３の上端２４に当接させた状態でユリヤねじ２１を締め込み、係合部本体７ａの他端部と係止金具７ｂの短辺７ｄとで扉２３を挟み込む。
【００２１】
係合部本体７ａの鉤部７ｃに第１アーム６の係合ピン１６を引っ掛け、第２アーム９の他端部に設けられた当接部１０を扉２３の表面に当接させる。第２アーム９は、自重によって第１アーム６との成す角が略４５度になるように、孔部１３の下端に位置するので、使用者は、容易に当接部１０を扉２３の表面に当接させることができる。
たとえば図８に示すように、扉２３の表面に凹部２７が形成されており、当接部１０を当接させる被当接部が凹部２７である場合には、係合ピン１６を中心として第１アーム６を下方に回動させて、当接部１０を凹部２７に容易に当接させることができる。このように、係合ピン１６を中心として第１アーム６を回動させて、被当接部の位置に合わせて当接部１０を容易に当接させることができる。
【００２２】
このようにして、少なくとも２つのポール支持体４を扉２３に設置して、ポール把持部５の溝部１１にポール３を載せる。ポール３には衣服を掛けたハンガー２を吊るすことができる。なお、ユリヤねじ２１を回して、係合部本体７ａの他端部と係止金具７ｂの短辺７ｄとの間の距離Ｘを予め扉２３上端２４の厚みに合わせておくと、簡単にポール支持体４を扉２３に取り付けることができる。
【００２３】
係止金具７ｂの形状は断面Ｌ字型に限定されない。たとえば、図９に示すように係止金具７ｂを断面が円弧状になるように形成して手摺り２５を挟み込むことができる。あるいは図１０に示すように、係合部７を被係合部であるカーテンレール２６に係合させることができる。係止金具７ｇがカーテンレール２６から外れにくくするために、断面Ｌ字型の係止金具７ｈの短辺７ｉ端部に鉤部７ｊを連設することもできる。
【００２４】
このように、室内用ハンガー掛け装置１は、ハンガー２が掛けられるポール３を支持する少なくとも２つのポール支持体４を備え、ポール支持体４には、ポール３を把持するポール把持部５と、ポール把持部５に連設され被係合部に係合する係合部７とを備えた本体８と、係合部７の下方に位置するように本体８に連設され被当接部に当接する当接部１０とが設けられており、係合部７は被係合部の上部を覆うように嵌め込まれて係合するので、簡便に着脱することができる。
【００２５】
さらに、室内用ハンガー掛け装置１は、係合部７が第１アーム６を介してポール把持部５に連設され、当接部１０が第２アーム９を介してポール把持部５に連設されており、係合部７と第１アーム６とが回動可能に接続されているので、軽量化を図ることができるとともに、当接部１０を被当接部に容易に当接させることができる。
【００２６】
さらに、室内用ハンガー掛け装置１は、ポール把持部５に連結される第２アーム９が第１アーム６との成す角を狭めるように回動可能であるので、室内用ハンガー掛け装置１を使用しないときには、第２アーム９を第１アーム６との成す角を狭めるように回動させて折り畳んだ状態でコンパクトに収納することができる。
【００２７】
１    室内用ハンガー掛け装置
２    ハンガー
３    ポール
４    ポール支持体
５    ポール把持部
６    第１アーム
７    係合部
７ａ    係合部本体
７ｂ，７ｇ，７ｈ    係止金具
７ｃ，７ｊ  鉤部
７ｄ，７ｉ    短辺
７ｅ    長辺
７ｆ    溝部
８    本体
９    第２アーム
１０    当接部
１１    溝部
１２    丸孔
１３    孔部
１４，１５，１８    ノックピン
１６    係合ピン
１７    保持片
２０    ブロック    
２１    ユリヤねじ
２２    当接面
２３    扉
２４    上端
２５    手摺り
２６    カーテンレール
２７    凹部
【図１】
2013158467.tif 000003
【図２】
2013158467.tif 000004
【図３】
2013158467.tif 000005
【図４】
2013158467.tif 000006
【図５】
2013158467.tif 000007
【図６】
2013158467.tif 000008
【図７】
2013158467.tif 000009
【図８】
2013158467.tif 000010
【図９】
2013158467.tif 000011
【図１０】
2013158467.tif 000012